(57)【要約】  【課題】  筺体内部へ挿入される挿入部材に装着可能であると共に、挿入部材に悪影響を与えにくい封止用部材を提供すること。  【解決手段】  筺体２，３の開口部に挿入される挿入部材５を挟むように閉じる開閉面１２を有する弾性部材１１と、弾性部材１１に埋設される挟持部材１３と、を有し、挟持部材１３は、弾性部材１１を介して挿入部材５を外側から挟持すると共に、開閉面１２を閉じた状態に維持可能である封止用部材１０としている。【選択図】図４
2012154361.tif 000002
【特許請求の範囲】
【請求項１】
筺体の開口部に挿入される挿入部材を挟むように閉じる開閉面を有する弾性部材と、
上記弾性部材に埋設される挟持部材と、を有し、
上記挟持部材は、上記弾性部材を介して上記挿入部材を外側から挟持すると共に、上記開閉面を閉じた状態に維持可能であることを特徴とする封止用部材。
【請求項２】
請求項１に記載の封止用部材であって、
前記挟持部材に若しくはそれとは別に、前記弾性部材と前記挿入部材とが密着状態を保つように保持する保持手段を有することを特徴とする封止用部材。
【請求項３】
請求項１または請求項２に記載の封止用部材であって、
前記挟持部材は、前記弾性部材をその閉じる方向に付勢することを特徴とする封止用部材。
【請求項４】
請求項１から請求項３のいずれか１項に記載の封止用部材であって、
前記挟持部材の少なくとも一部は、前記挿入部材を挿入した場合に前記挿入部材から見て外側方向に凸形状であると共に、前記挟持部材は、前記挿入部材への所定の加圧力により上記凸形状の頂点が反転してへこむことにより、前記挿入部材を挟持することを特徴とする封止用部材。
【請求項５】
請求項１から請求項４のいずれか１項に記載の封止用部材であって、
前記挟持部材は、２本の板状部分とそれらをつなぐ湾曲部分とから連続形成され、
上記湾曲部分を支点に前記弾性体が開閉することを特徴とする封止用部材。
【請求項６】
請求項１から請求項５のいずれか１項に記載の封止用部材であって、
前記弾性部材は、前記挿入部材と接する領域が、それ以外の領域内方にへこんでいることを特徴とする封止用部材。
【請求項７】
筺体に設けられた開口部から挿入される挿入部材と、
上記挿入部材を挟持するように構成され、かつ、上記開口部を封止する封止用部材と、を有し、
上記封止用部材は、
上記挿入部材を挟むように閉じる開閉面を有する弾性部材と、
上記弾性部材に埋設される挟持部材と、を有し、
上記挟持部材は、上記弾性部材を介して上記挿入部材を外側から挟持すると共に、上記開閉面を閉じた状態に維持可能であることを特徴とする電子機器。
【請求項８】
請求項７に記載の電子機器であって、
前記弾性部材が閉じた状態を保持するために、前記弾性部材には、前記挿入部材へ向かう方向の挟圧力が前記挟持部材および前記筺体の内壁により付与されていることを特徴とする電子機器。
【発明の詳細な説明】
【技術分野】
【０００１】
本発明は、封止用部材およびそれを備える電子機器に関する。
【背景技術】
【０００２】
携帯電話、携帯情報端末（ＰＤＡ）などの電子機器には、筺体に形成された開口部からフレキシブル基板等の挿入部材を挿通させる場合がある。かかる場合にその開口部から筺体内に異物が侵入しないように、その開口部と挿入部材との間に封止用部材を設ける場合がある。
【０００３】
たとえば、封止用部材としては、開口部と挿入部材との間隙に液状のゴムを充填してなるものが知られている（特許文献１を参照）。また、封止用部材と挿入部材との密着性を向上させるために、挿入部材と封止用部材とを一体成型されたものも知られている（特許文献２を参照）。
【先行技術文献】
【特許文献】
【０００４】
【特許文献１】国際公開公報ＷＯ２００３／０８５７９３
【特許文献２】特開２００５−３４８３４１号公報
【発明の概要】
【発明が解決しようとする課題】
【０００５】
しかし、特許文献１あるいは特許文献２に記載の封止用部材では、挿入部材と封止用部材とを一体成型しているため、その一体成型の際に加えられる熱および圧力等により、挿入部材が破損あるいは変形等するという問題がある。たとえば、挿入部材としてフレキシブル基板等を用いる場合、一体成型の際に加えられる熱および圧力等により、フレキシブル基板に内包されている導線の断線を招く危険性がある。
【０００６】
また、特許文献１あるいは特許文献２に記載の封止用部材では、挿入部材と封止用部材とが固着しているため、挿入部材に加えられた張力により、挿入部材と封止用部材との固着部分にストレスが生じ、破損等する危険性がある。
【０００７】
本発明は、上記問題を解決すべくなされたものであって、筺体内部へ挿入される挿入部材に装着可能であると共に、挿入部材に悪影響を与えにくい封止用部材を提供することを目的とする。
【課題を解決するための手段】
【０００８】
上記目的を達成するために、本発明の封止用部材は、筺体の開口部に挿入される挿入部材を挟むように閉じる開閉面を有する弾性部材と、弾性部材に埋設される挟持部材と、を有し、挟持部材は、弾性部材を介して挿入部材を外側から挟持すると共に、開閉面を閉じた状態に維持可能なものとしている。
【０００９】
さらに、挟持部材に若しくはそれとは別に、弾性部材と挿入部材とが密着状態を保つように保持する保持手段を有してもよい。
【００１０】
また、挟持部材は、弾性部材をその閉じる方向に付勢するのが好ましい。
【００１１】
また、挟持部材の少なくとも一部は、挿入部材を挿入した場合に挿入部材から見て外側方向に凸形状であると共に、挿入部材への所定の加圧力により凸形状の頂点が反転してへこむことにより、挿入部材を挟持するのが好ましい場合もある。
【００１２】
また、挟持部材は、２本の板状部分とそれらをつなぐ湾曲部分とから連続形成され、
湾曲部分を支点に弾性体が開閉し得る。
【００１３】
また、弾性部材は、挿入部材と接する領域が、それ以外の領域内方にへこんでいるのが好ましい。
【００１４】
また、別の発明の電子機器の実施の形態では、筺体に設けられた開口部から挿入される挿入部材と、挿入部材を挟持するように構成され、かつ、開口部を封止する封止用部材と、を有し、封止用部材は、挿入部材を挟むように閉じる開閉面を有する弾性部材と、弾性部材に埋設される挟持部材と、を有し、挟持部材は、弾性部材を介して挿入部材を外側から挟持すると共に、開閉面を閉じた状態に維持可能なものとしている。
【００１５】
また、弾性部材が閉じた状態を保持するために、弾性部材には、挿入部材へ向かう方向の挟圧力が挟持部材および筺体の内壁により付与されていてもよい。
【発明の効果】
【００１６】
本発明によれば、筺体内部へ挿入される挿入部材に装着可能であると共に、挿入部材に悪影響を与えにくい封止用部材を提供できる。
【図面の簡単な説明】
【００１７】
【図１】本発明の実施の形態に係る封止用部材を備える電子機器としての携帯電話の斜視図である。
【図２】図１に示す携帯電話が折り畳まれた状態を示す斜視図である。
【図３】本発明の実施の形態に係る封止用部材が装着された挿入部材を示す斜視図である。
【図４】図３の封止用部材および挿入部材について、Ａで示す領域を拡大して示す斜視図である。
【図５】図４の封止用部材を挿入部材に装着するために開いた状態を示す斜視図である。
【図６】図４の封止用部材の弾性部材に埋設される挟持部材を示す斜視図である。
【図７】図３の封止用部材が閉じた状態において、挿入部材の挿入方向から見た場合の正面図である。
【図８】図７の封止用部材の底面図である。
【図９】図７の封止用部材を図７の左側からみた場合の左側面図である。
【図１０】図７の封止用部材を図７の右側から見た場合の右側面図である。
【図１１】本発明の第２の実施の形態に係る封止用部材が装着された挿入部材を示す斜視図である。
【図１２】図１１の封止用部材が閉じた状態において、挿入部材の挿入方向から見た場合の正面図である。
【図１３】図１１の封止用部材が開いた状態において、挿入部材の挿入方向から見た場合の正面図である。
【図１４】本発明の別の変形例に係る封止用部材が備える挟持部材を示す斜視図である。
【図１５】本発明のさらなる別の変形例に係る封止用部材が開いた状態において、挿入部材の挿入方向から見た場合の正面図である。
【図１６】図１５の封止用部材が閉じた状態において、挿入部材の挿入方向から見た場合の正面図である。
【図１７】本発明のさらなる別の変形例に係る封止用部材が有する挟持部材を挿入部材の挿入方向から見た場合の正面図である。
【図１８】本発明のさらなる別の変形例に係る封止用部材が備える挟持部材を示す斜視図である。
【発明を実施するための形態】
【００１８】
次に、本発明の実施の形態に係る電子機器および封止用部材について、図面を参照しながら説明する。
【００１９】
１．電子機器の構成
図１は、本発明の実施の形態に係る封止用部材１０を備える電子機器としての携帯電話１の斜視図である。図２は、図１に示す携帯電話１が折り畳まれた状態を示す斜視図である。なお、図１および図２においては、携帯電話１に備えられる挿入部材５および封止用部材１０を点線にて示している。
【００２０】
携帯電話１は、第１の筺体２および第２の筺体３を有している。携帯電話１は、第１の筺体２と第２の筺体３とが連結部４により回動可能に連結された、いわゆる折り畳みタイプの携帯電話として構成されている。挿入部材５は、一端側が第１の筺体２に設けられた開口部を通って、第１の筺体２の内部に挿入され、他端側が第２の筺体３に設けられた開口部を通って、第２の筺体３の内部に挿入されている。また、挿入部材５は、連結部４の内部を通って、第１の筺体２の内部に位置する基板と第２の筺体３に位置する基板とにそれぞれ接続されている。挿入部材５は、第１の筺体２側と第２の筺体３側とにそれぞれ封止用部材１０を装着している。封止用部材１０は、第１の筺体２に設けられた開口部および第２の筺体３に設けられた開口部を塞ぐように装着されている。
【００２１】
図３は、封止用部材１０が装着された挿入部材５を示す斜視図である。
【００２２】
挿入部材５としては、たとえば、フレキシブルプリント回路基板（ＦＰＣ）を用いることができる。ＦＰＣは、携帯電話１の折り畳み動作に追従できるような柔軟な配線資材となることから、第１の筺体２および第２の筺体３を連動させるために用いられる。本実施の形態では、挿入部材５は、帯状のＦＰＣであって、その両端部に、コネクタ６をそれぞれ備える。封止用部材１０が挿入部材５を挟んだ状態にて携帯電話１に装着されると、挿入部材５は、封止用部材１０に挿通された状態となる。
【００２３】
２．封止用部材の構成
（第１の実施の形態）
図４は、図３の封止用部材１０および挿入部材５について、Ａで示す領域を拡大して示す斜視図である。図５は、図４の封止用部材１０を挿入部材５に装着するために開いた状態を示す斜視図である。図６は、図４の封止用部材１０に埋設される挟持部材１３を示す斜視図である。図７は、図４の封止用部材１０が閉じられた状態において、挿入部材５の挿入方向から見た場合の正面図である。図８は、図７の封止用部材１０の平面図である。図９は、図７の封止用部材１０の左側面図である。図１０は、図７の封止用部材１０の右側面図である。なお、背面図については、正面図と略左右対称となるため図示を省略する。同様に、底面図と平面図とは、略対称となるため、一方のみを図示している。また、図７〜１０では、埋設された挟持部材１３を点線にて表示している。
【００２４】
封止用部材１０は、その外側を弾性部材１１にて覆われている。弾性部材１１は、挿入部材５を挿入するために第１の筺体２および第２の筺体３に設けられた開口部を封止し、第１の筺体２あるいは第２の筺体３の内部に水、埃あるいはその他の異物の侵入を防ぐ部材である。弾性部材１１は、挿入部材５を挟むようにして、挿入部材５に対して着脱可能な部材である。弾性部材１１は、挿入部材５を挟持できるように、挿入部材５を挿入する開閉可能な開閉面１２を有する。
【００２５】
弾性部材１１は、好適には、柔軟な樹脂若しくはエラストマーから成る。弾性部材１１を柔軟な樹脂若しくはエラストマーから構成することにより、弾性部材１１は、第１の筺体２あるいは第２の筺体３の内面と挿入部材５との隙間を埋めるように容易に変形できる。このため、封止効果を高めることができる。弾性部材１１は、たとえば、ショアＡ硬度が２０〜７０度のウレタンゴム、アクリルゴム、シリコーンゴム等から主に形成されるのが好ましい。それらの中でも、耐久性が高いシリコーンゴムあるいはそれらの複合品を用いるのがより好ましい。弾性部材１１の大きさおよび形状は、使用する弾性体の硬度により適宜決定されるが、例えば、縦１〜５ｍｍ、横１〜１０ｍｍの楕円体とすることができる。弾性部材１１の一辺が１ｍｍ以上の場合には、弾性部材１１が第１の筺体２および第２の筺体３と接し、第１の筺体２あるいは第２の筺体３により圧縮および固定された際に、弾性部材１１は、容易に変形し、各筐体の寸法のばらつきを吸収できる。そのため、弾性部材１１と、第１の筺体２および第２の筺体３との間に隙間が生じにくい。一方、弾性部材１１の肉厚（挟持部材１３の外面から弾性部材１１の外面までの最短距離）が５ｍｍ以下の場合には、長期間の使用においても、弾性部材１１の弾性力の低下によるシール性能の低下、あるいは弾性部材１１自体が変形することによるシール性能の低下の影響を小さくできる。さらに、弾性部材１１の突出長さを５ｍｍ以内とすることで、第１の筺体２および第２の筺体３により弾性部材１１が圧縮および固定された際に弾性部材１１に加えられた圧縮荷重が大きくなりすぎないため、第１の筺体２あるいは第２の筺体３が変形あるいは破損しにくくなる。また、弾性部材１１の硬度を調節すると、弾性部材１１と、挿入部材５との密着性あるいは弾性部材１１と第１の筺体２もしくは第２の筺体３との密着性を高め、かつ、弾性部材１１の寸法精度を確保できる。
【００２６】
また、封止用部材１０は、第１の筺体２または第２の筺体３に挿入した状態において、その内壁から弾性部材１１を互いに押し付ける方向への挟圧力が付与されている。そのため、弾性部材１１は、挿入部材５を挟持した状態で保持される。
【００２７】
なお、弾性部材１１のうち、挿入部材５と接触しない部分は、挿入部材５と接触する部分よりも、挿入部材５側に突出しているのが好ましい。このことは、弾性部材１１のうち、挿入部材５と接する領域が、それ以外の領域よりも内側にへこんでいることを意味する。
【００２８】
図４および図５に示すように、弾性部材１１には、切り込みが設けられ、開閉可能な開閉面１２が設けられている。開閉面１２は、弾性部材１１を完全に分割しないように設けられている。このため、弾性部材１１は、開閉面１２が設けられていない部分を支点として開閉できる。
【００２９】
挟持部材１３は、図７〜１０に示すように、好適に、弾性部材１１に埋設される部材である。挟持部材１３は、たとえば、２枚の略平行に伸びる板状部分とそれらをつなぐ湾曲部分とから連続形成される、いわゆるＵ字状のクリップである。挟持部材１３の２枚の板状部分は、挿入部材５を挟むように開口し、弾性部材１１の開閉面１２に沿って埋設されている。ここで「埋設」とは、挟持部材１３が弾性部材１１によって完全に覆われている状態の他、一部のみ覆われている状態も含むように広義に解釈される。以後の「埋設」も同様である。挟持部材１３の湾曲部分は、弾性部材１１が開閉する際に支点となる部分に位置する。したがって、弾性部材１１は、挟持部材１３の湾曲部分を支点に回動することで、挟持部材１３の湾曲部分と反対側の端部にて開閉可能である。
【００３０】
図５に示すように、弾性部材１１の開閉面１２を開状態にすることで、挿入部材５を開閉面１２に挿入可能である。開閉面１２は弾性部材１１の一端側で開口するため、開閉面１２の開口している側の端から挿入部材５を挿入できる。したがって、挿入部材５を長さ方向に挿入する必要がないため、挿入部材５がコネクタ６等を有する場合であっても挿入部材５への封止用部材１０の装着が容易である。また、ユーザが、弾性部材１１を開状態にするための力を封止用部材１０に与えるのを止めると、挟持部材１３の復元力により、弾性部材１１は、挿入部材５を挟む方向に駆動する。弾性部材１１は、挟持部材１３により封止用部材１０を閉じる方向に付勢されるため、弾性部材１１は、挿入部材５を挿入した状態で開閉面１２を閉じた状態に維持できる。したがって、封止用部材１０を開き、挿入部材５を所定の場所に配置し、封止用部材１０への力を解放すると、封止用部材１０は、その弾性部材１１を閉じる方向に駆動し、その結果、挿入部材５を挟持できる。
【００３１】
上述のような構成の封止用部材１０では、封止用部材１０を挿入部材５に装着する際に熱あるいは圧力を加える、または、放射線等を照射する必要がない。このため、熱、圧力あるいは放射線等により挿入部材５が破損あるいは変形することがない。また、封止用部材１０では、挿入部材５と封止用部材１０とが固着していないため、挿入部材５への張力により、挿入部材５と封止用部材１０との固着部分にストレスが生じにくく、挿入部材５の破損等を防ぐことができる。
【００３２】
また、上述のような封止用部材１０を備える携帯電話１では、携帯電話１の内部に水や埃等の異物が侵入するのを防ぐことができる。なぜなら、携帯電話１の第１の筺体２あるいは第２の筺体３の内壁と挿入部材５との隙間を封止用部材１０が封止しているからである。特に、弾性部材１１は、携帯電話１の第１の筺体２あるいは第２の筺体３の内壁と封止用部材１０との隙間を封止できる。また、弾性部材１１は、封止用部材１０と挿入部材５との隙間を封止できる。
【００３３】
さらに、上述のような封止用部材１０では、挟持部材１３により、開閉面１２が閉じられた状態を維持できる。したがって、開閉面１２にて挿入部材５を挟持した状態では、弾性部材１１と挿入部材５との間、または、開閉面１２から、携帯電話１の内部に水や埃等の異物が侵入するのを防ぐことができる。また、上述のような封止用部材１０では、挟持部材１３が挿入部材５を把持するため、挿入部材５から封止用部材１０が脱落しにくい。特に、第１の筺体２あるいは第２の筺体３が変形あるいは分解された場合にも、封止用部材１０は、単独で挿入部材５に装着された状態を保つことができる。
【００３４】
（第２の実施の形態）
次に、本発明の第２の実施の形態に係る封止用部材２０について、図面を参照しながら説明する。
【００３５】
図１１は、第２の実施の形態に係る封止用部材２０の斜視図である。図１２は、図１１の封止用部材２０が閉じた状態において、挿入部材５の挿入方向から見た正面図である。図１３は、図１１の封止用部材２０が開いた状態において、挿入部材５の挿入方向から見た正面図である。図１２および図１３では、弾性部材１１に埋設された挟持部材１３の位置を点線で示している。なお、以後の説明において、第１の実施の形態に係る封止用部材１０と同じ構成要素については、同じ符号を用いて説明する。
【００３６】
封止用部材２０は、第１の実施の形態に係る封止用部材１０と比較して、開閉面２２の形状が異なる。封止用部材１０の開閉面１２は、弾性部材１１の一端側から切り込みを入れて形成されているが、封止用部材２０の開閉面２２は、弾性部材１１に貫通孔として形成されている。したがって、ユーザが、弾性部材１１を開状態にするための力を封止用部材２０に与えると、図１３のように、開閉面２２が大きく開いた状態となる。開閉部２２内に挿入部材５を挿入し、ユーザが弾性部材１１を開状態にするための力を解放すると、挟持部材１３の復元力により、弾性部材１１は、挿入部材５を挟む方向に駆動する。弾性部材１１は、挟持部材１３により挟持力が付与されることから、開閉面１２は、挿入部材５を挿入した状態で閉状態を維持できる。
【００３７】
上述のように封止用部材２０を構成することで、ユーザは、封止用部材２０を開き、挿入部材５を所定の場所に配置し、封止用部材２０への力を解放すると、封止用部材２０は、その弾性部材１１を閉じる方向に駆動し、その結果、挿入部材５を挟持できる。したがって、携帯電話１の第１の筺体２あるいは第２の筺体３の内壁と挿入部材５との隙間を封止用部材２０により封止することで、携帯電話１の内部に水や埃等の異物が侵入するのを防ぐことができる。特に、開閉面１２は、弾性部材１１の端部を切り裂いていないため、防塵あるいは防水性により優れる。
【００３８】
３．その他の実施の形態
以上、本発明の実施の形態に係る封止用部材１０，２０および封止用部材１０を備える携帯電話１について説明したが、本発明は、上述の各実施の形態に限定されることなく、種々変形を施して実施可能である。
【００３９】
上述の各実施の形態では、電子機器として携帯電話１を例示したが、携帯電話以外の電子機器に封止用部材１０，２０を採用してもよい。たとえば、ＰＤＡ、ポータブルコンピュータあるいはその他の精密機器に封止用部材１０，２０を採用してもよい。
【００４０】
また、上述の実施の形態では、携帯電話１は、第１の筺体２および第２の筺体３を有するものとしたが、このような形態に限らない。１つの筺体しか有さない電子機器であって、その筺体に何らかの部材を挿入するための開口部が設けられている場合にも、本発明を用いることができる。また、本発明の電子機器は、折り畳み式の携帯電話１ではなく、スライド式（第１の筺体２が第２の筺体３に対してスライド移動するもの）の携帯電話であってもよい。
【００４１】
また、上述の実施の形態では、挿入部材５は、ＦＰＣであるが、このような形態に限らない。ＦＰＣ以外の挿入部材５に封止用部材１０，２０を適用することもできる。かかる場合には、弾性部材１１のうち、挿入部材５と接触する各部分には、挿入部材５の表面に沿った形状の凹部が設けられていてもよい。
【００４２】
上述の実施の形態では、挿入部材５は、１つの弾性部材１１により挟持されているが、このような形態に限らない。たとえば、挿入部材５は、２つ以上の別の弾性部材１１により挟持されていてもよい。また、弾性部材１１は、１種類の弾性体層から構成されていてもよいし、複数の弾性体層から構成されていてもよい。さらに、弾性部材１１の内部に、寸法精度を向上させること等を目的として、挟持部材１３以外の硬質の部材を埋設してもよい。
【００４３】
また、上述の実施の形態では、封止用部材１０，２０は、挿入部材５に対し、着脱可能に装着されるものとしているが、そのような形態に限らない。たとえば、封止用部材１０，２０は、一旦、挿入部材５に装着されると、封止用部材１０，２０を破壊しない限り取り外しができないような形態であってもよい。
【００４４】
また、上述の実施の形態に係る封止用部材１０，２０では、挿入部材５を挟む弾性部材１１の上側と下側とを、同程度の大きさおよび形状としたが、このような形状に限られない。挿入部材５を挟んで弾性部材１１の形状あるいは大きさが非対称であってもよい。しかし、異物を侵入させにくくするために、弾性部材１１の外周部分の凹凸は、少ないのが好ましい。さらに、封止用部材１０，２０は、挿入部材５を中心軸として、左右および上下が略対称の形状であるのが好ましい。かかる場合には、封止用部材１０，２０は、弾性部材１１のどの部分であっても筺体の内面に均一に密着することができるため、弾性部材１１のどの部分からでも均一に異物の侵入を防ぐことができる。
【００４５】
また、弾性部材１１は、閉じる方向に付勢されているが、このようなものに限らない。たとえば、封止用部材１０，２０において、弾性部材１１が挿入部材５を挟持した状態に保つための保持手段を備える場合には、挟持部材１３により付勢しなくてもよい。たとえば、封止用部材１０は、さらに別の保持手段として１組のフック機構を有していてもよい。また、そのフック機構により、弾性部材１１が、開閉面１２，２２に対して水平方向にずれることなく閉じるようにしてもよい。
【００４６】
また、弾性部材１１は、開閉面１２に凹部と凸部とを対向するように設けていてもよい。かかる場合には、弾性部材１１が、開閉面１２，２２に対して水平方向にずれることなく閉じることが容易となる。
【００４７】
上述の実施の形態では、挟持部材１３は、Ｕ字状の部材としているが、このような形態にかぎらない。たとえば、挟持部材１３は、弾性変形できる板状あるいは棒状の部材を１以上折り曲げたもの、渦巻き状にしたもの、あるいはコイルばね形状にしたものでもよい。
【００４８】
また、上述の実施の形態では、挟持部材１３は、弾性部材１１に埋設されているが、このような形態に限らない。挟持部材１３は、挿入部材５、第１の筺体２および第２の筺体３と接触する部分以外にて弾性部材１１に固着されて、あるいは嵌め込み可能に構成されてもよい。また、挟持部材１３の一部のみが、弾性部材１１に埋設されていてもよい。
【００４９】
図１４は、本発明の別の変形例に係る封止用部材が有する挟持部材２３の斜視図である。
【００５０】
図１４に示すように、挟持部材２３は、保持手段として、Ｕ字状の端部にフック部２４を有していてもよい。かかる場合には、挟持部材２３の端部は、弾性部材１１から露出するように埋設される。具体的には、挟持部材２３のうち、フック部２４を有する側は、弾性部材１１の開閉面１２から突出している。一方、挟持部材２３のうちフック部２４を有さない側は、弾性部材１１に設けられた凹部から露出するように埋設される。そして、弾性部材１１を閉じる際には、図１４に示すように、挟持部材２３のフック部２４を他端側に引っ掛けることにより、弾性部材１１が開いた状態になるのを防止できる。
【００５１】
図１５は、本発明のさらなる別の変形例に係る封止用部材４０が開いた状態において、挿入部材５を挿入する方向から見た場合の正面図である。図１６は、図１５の封止用部材４０が閉じた状態において、挿入部材５を挿入する方向から見た場合の正面図である。なお、図１５および図１６では、挟持部材４３を点線で示している。
【００５２】
上述の実施の形態では、挟持部材１３は、Ｕ字状であるものとしたが、このようなものに限らない。図１５および図１６に示すように、挟持部材４３は、２つの板状部材のうち、少なくとも一方が挿入部材５を貫通させた場合に挿入部材５とは逆側に凸形状（すなわち、外側に突出した椀形状）であってもよい。かかる形状の挟持部材４３は、挿入部材５の方向に加圧されると、図１６のように凸形状が反転し、凸形状の頂点４４が挿入部材５側にへこむことで、開閉面２２を閉じた状態とすることができる。
【００５３】
図１７は、本発明のさらなる別の変形例に係る封止用部材５０が有する挟持部材５３を挿入部材５の挿入方向から見た場合の正面図である。
【００５４】
図１７に示すように、挟持部材５３は、２つの板状部材のうち、両方が挿入部材５を貫通させた場合に挿入部材５からみて外側に凸形状（外側に突出する椀形状）であってもよい。かかる形状の挟持部材５３は、その凸形状の頂点５４を挿入部材５の方向に加圧されると、２つの板状部材の両方の凸形状が反転し、頂点５４が挿入部材５側にへこむことで、開閉面を閉じた状態とすることができる。
【００５５】
図１８は、本発明のさらなる別の変形例に係る封止用部材が有する挟持部材６３の斜視図である。図１９は、本発明のさらなる別の変形例に係る封止用部材が備える挟持部材６４において、開いた状態を上側に、閉じた状態を下側に示す斜視図である。
【００５６】
図１８に示すように、挟持部材６３は、挟持部材２３と同様に、保持手段として、フック部６４を有している。また、挟持部材６３は、その内側に挿入部材５を貫通させた場合に挿入部材５と逆側に凸形状の頂点６５を有している。したがって、挟持部材６３では、フック部６４により弾性部材１１を閉じた状態にした後、頂点６５を加圧することで、凸形状が反転し、弾性部材１１が挿入部材５を把持する力を向上させることができる。
【００５７】
なお、挟持部材１３，２３，６３のように一端側に開放端を有する挟持部材は、一端側から切り込みを入れて形成された開閉面１２を有する弾性部材１１に埋設することができる。しかし、挟持部材１３，２３，６３は、貫通孔として形成された開閉面２２を有する弾性部材１１に埋設されてもよい。
【産業上の利用可能性】
【００５８】
本発明は、たとえば、防水あるいは防塵の電子機器に利用できる。
【符号の説明】
【００５９】
１          携帯電話（電子機器）
２          第１の筺体（筺体）
３          第２の筺体（筺体）
５          挿入部材
１０，２０，４０  封止用部材
１１        弾性部材
１２，２２  開閉面
１３，２３，４３，５３，６３  挟持部材
２４，６４  フック部
４４，５４，６５  頂点
【図１】
2012154361.tif 000003
【図２】
2012154361.tif 000004
【図３】
2012154361.tif 000005
【図４】
2012154361.tif 000006
【図５】
2012154361.tif 000007
【図６】
2012154361.tif 000008
【図７】
2012154361.tif 000009
【図８】
2012154361.tif 000010
【図９】
2012154361.tif 000011
【図１０】
2012154361.tif 000012
【図１１】
2012154361.tif 000013
【図１２】
2012154361.tif 000014
【図１３】
2012154361.tif 000015
【図１４】
2012154361.tif 000016
【図１５】
2012154361.tif 000017
【図１６】
2012154361.tif 000018
【図１７】
2012154361.tif 000019
【図１８】
2012154361.tif 000020